(57)【要約】      （修正有）【課題】湯水混合水栓との一体化の有無に拘わらず、簡単に残留浄水による汚染を低減することができる、浄水用の水栓を提供する。【解決手段】水栓３は、浄水の吐出部４とバルブ５と操作部６とを備える。この水栓３は、原水が流入する原水流入路７ａと、その流入した原水を浄水器１に送る原水供給路７ｂと、浄水器１から出た浄水が流入する浄水流入路７ｃと、その流入した浄水を吐出部４へ送る浄水供給路７ｄとを備える。バルブ５は、原水流入路７ａと原水供給路７ｂとの間を開閉する第１開閉部と、浄水流入路７ｃと浄水供給路７ｄとの間を開閉する第２開閉部とを備える。そこで、操作部６の、吐出側への操作により、バルブ５は、第２開閉部が開放し続いて第１開閉部が開放する。そして、操作部６の、止水側への操作により、バルブ５は、第１開閉部が閉じ続いて第２開閉部が閉じる。【選択図】図１
2013174313.tif 000002
【特許請求の範囲】
【請求項１】
浄水の吐出部と、その浄水の吐出と止水とを切り替えるバルブと、そのバルブを操作する操作部とを備える、水栓であって、
原水が流入する原水流入路と、その流入した原水を浄水器に送る原水供給路と、前記浄水器から出た浄水が流入する浄水流入路と、その流入した浄水を前記吐出部へ送る浄水供給路とを備え、
前記バルブは、前記原水流入路と前記原水供給路との間を開閉する第１開閉部と、前記浄水流入路と前記浄水供給路との間を開閉する第２開閉部とを備え、
前記操作部の、吐出側への操作により、前記バルブは、前記第１開閉部と前記第２開閉部とが開放し、前記操作部の、止水側への操作により、前記バルブは、前記第１開閉部と前記第２開閉部とが閉じることを特徴とする、浄水用の水栓。
【請求項２】
前記原水流入路と前記原水供給路と前記浄水流入路と前記浄水供給路とを有する水栓本体を備え、
前記バルブは、固定された弁座部材と、その弁座部材の座面上を前記操作部の操作によって移動する弁体とを備えて、それら弁座部材と弁体とで、前記第１開閉部および前記第２開閉部が形成され、
前記弁座部材は、少なくとも、前記浄水流入路に通ずるとともに前記座面に開口する浄水流入孔と、前記浄水供給路に通ずるとともに前記座面に開口する浄水供給孔とを有し、前記弁体は、移動によって前記浄水流入孔と前記浄水供給孔との間を連通するように、前記座面に対向する対向面に開口する浄水連通部を有して、それら浄水流入孔と浄水供給孔と浄水連通部と、前記座面および対向面とで、前記第２開閉部が構成されることを特徴とする、請求項１に記載の浄水用の水栓。
【請求項３】
前記水栓本体は、前記バルブを収容する収容凹部を有し、
前記収容凹部内において、前記バルブの周囲に空隙が形成されて、その空隙に前記原水供給路が通じ、
前記弁座部材は、前記原水流入路に通ずるとともに前記座面に開口する原水流入孔を有し、前記弁体は、移動によって前記原水流入孔と前記空隙との間を連通するように、前記対向面に開口するとともに前記空隙に通ずる原水連通部を有して、それら原水流入孔と原水連通部と、前記座面および対向面とで、前記第１開閉部が構成されることを特徴とする、請求項２に記載の浄水用の水栓。
【請求項４】
前記バルブは、前記弁座部材および弁体を収容するケースを備え、
前記ケースは、ケース本体と、そのケース本体の一方側を閉じる閉じ部とを有し、
前記閉じ部に、前記原水流入孔と前記原水流入路との間を連通する原水用第１通孔が設けられ、前記ケース本体に、前記原水連通部と前記空隙との間を連通する原水用第２通孔が設けられ、かつ、
前記閉じ部に、前記浄水流入孔と前記浄水流入路との間を連通する浄水用第１通孔と、前記浄水供給孔と前記浄水供給路との間を連通する浄水用第２通孔とが設けられることを特徴とする、請求項３に記載の浄水用の水栓。
【請求項５】
前記水栓本体は、前記バルブを収容する収容凹部を有し、
前記収容凹部内において、前記バルブの周囲に空隙が形成されて、その空隙に前記原水流入路が通じ、
前記弁座部材は、前記原水供給路に通ずるとともに前記座面に開口する原水供給孔を有し、前記弁体は、移動によって前記原水供給孔と前記空隙との間を連通するように、前記対向面に開口するとともに前記空隙に通ずる原水連通部を有して、それら原水供給孔と原水連通部と、前記座面および対向面とで、前記第１開閉部が構成されることを特徴とする、請求項２に記載の浄水用の水栓。
【請求項６】
前記バルブは、前記弁座部材および弁体を収容するケースを備え、
前記ケースは、ケース本体と、そのケース本体の一方側を閉じる閉じ部とを有し、
前記ケース本体に、前記原水連通部と前記空隙との間を連通する原水用第１通孔が設けられ、前記閉じ部に、前記原水供給孔と前記原水供給路との間を連通する原水用第２通孔が設けられ、かつ、
前記閉じ部に、前記浄水流入孔と前記浄水流入路との間を連通する浄水用第１通孔と、前記浄水供給孔と前記浄水供給路との間を連通する浄水用第２通孔とが設けられることを特徴とする、請求項５に記載の浄水用の水栓。
【請求項７】
前記弁座部材は、前記原水流入路に通ずるとともに前記座面に開口する原水流入孔と、前記原水供給路に通ずるとともに前記座面に開口する原水供給孔とを有し、前記弁体は、移動によって前記原水流入孔と前記原水供給孔との間を連通するように、前記対向面に開口する原水連通部を有して、それら原水流入孔と原水供給孔と原水連通部と、前記座面および対向面とで、前記第１開閉部が構成されることを特徴とする、請求項２に記載の浄水用の水栓。
【請求項８】
前記バルブは、前記弁座部材および弁体を収容するケースを備え、
前記ケースは、ケース本体と、そのケース本体の一方側を閉じる閉じ部とを有し、
前記閉じ部に、前記原水流入孔と前記原水流入路との間を連通する原水用第１通孔と、前記原水供給孔と前記原水供給路との間を連通する原水用第２通孔とが設けられ、かつ、
前記閉じ部に、前記浄水流入孔と前記浄水流入路との間を連通する浄水用第１通孔と、前記浄水供給孔と前記浄水供給路との間を連通する浄水用第２通孔とが設けられることを特徴とする、請求項７に記載の浄水用の水栓。
【請求項９】
前記操作部の、吐出側への操作により、前記バルブは、前記第２開閉部が開放し続いて前記第１開閉部が開放し、前記操作部の、止水側への操作により、前記バルブは、前記第１開閉部が閉じ続いて前記第２開閉部が閉じることを特徴とする、請求項１ないし８のいずれか１項に記載の浄水用の水栓。
【発明の詳細な説明】
【技術分野】
【０００１】
この発明は、残留浄水による汚染を低減することができる、浄水用の水栓に関するものである。
【背景技術】
【０００２】
従来、浄水器が別置きされている、浄水専用あるいは湯水混合水栓等と一体化された、浄水用の水栓があった。このタイプの水栓は、吐出管と、吐出と止水とを切り替える浄水用バルブと、原水が流入する原水流入路と、その原水を、浄水器側に送る原水供給路と、浄水器を通った浄水を吐出管に送る浄水供給路とを備えていた。そして、浄水用バルブは、浄水器を水圧から保護する必要があることから、原水流入路と原水供給路との間に配置された。
【０００３】
また、湯水混合水栓と一体化した浄水用の水栓（例えば、特許文献１参照）にあっては、図１２に示すように、上述した、浄水用バルブ３１、吐出管３２、原水流入路３３、原水供給路３４および浄水供給路３５に加えて、湯水混合水栓側の湯水混合バルブ３６と、湯が流入する湯流入路３７と、湯水混合水を吐出管に送る混合水供給路３８を備えていた。そして、原水流入路３３は、浄水用バルブ３１側と湯水混合バルブ３６側とに分岐され、浄水供給路３５と混合水供給路３８とは、合流した後に吐出管３２に繋げられた。そして、この水栓３０においては、浄水の使用を終えるに当たって、浄水用バルブ３１を閉じた後に、湯水混合バルブ３６を水側、つまり、原水側にして、少しの間原水を吐出することで、浄水器３９の下流の残留浄水を原水で密閉することができ、これによって、残留浄水による汚染を防止することができた。
【先行技術文献】
【特許文献】
【０００４】
【特許文献１】実開平９−９３
【発明の概要】
【発明が解決しようとする課題】
【０００５】
ところで、図示した前記従来の浄水用の水栓３０にあっては、残留浄水による汚染を防止するために、浄水用の水栓を湯水混合水栓と一体化した上で、浄水を使用した後に、湯水混合バルブ３６を原水側にして少しの間原水を吐出しなければならず、その操作が非常に面倒であり、また、その操作を忘れないように注意しなければならなかった。また、残留浄水を密閉するための原水も、長時間放置されればその機能を発揮することができず、十分なものとはいえなかった。
【０００６】
この発明は、上記した従来の欠点を解決するためになされたものであり、その目的とするところは、湯水混合水栓との一体化の有無に拘わらず、簡単に残留浄水による汚染を低減することができる、浄水用の水栓を提供することにある。
【課題を解決するための手段】
【０００７】
この発明に係る浄水用の水栓は、前記目的を達成するために、次の構成からなる。すなわち、
請求項１に記載の発明に係る浄水用の水栓は、浄水の吐出部と、その浄水の吐出と止水とを切り替えるバルブと、そのバルブを操作する操作部とを備える。この水栓は、原水が流入する原水流入路と、その流入した原水を浄水器に送る原水供給路と、前記浄水器から出た浄水が流入する浄水流入路と、その流入した浄水を前記吐出部へ送る浄水供給路とを備える。ここで、前記バルブは、前記原水流入路と前記原水供給路との間を開閉する第１開閉部と、前記浄水流入路と前記浄水供給路との間を開閉する第２開閉部とを備える。そして、前記操作部の、吐出側への操作により、前記バルブは、前記第１開閉部と前記第２開閉部とが開放し、前記操作部の、止水側への操作により、前記バルブは、前記第１開閉部と前記第２開閉部とが閉じる。
【０００８】
この浄水用の水栓によると、バルブは、原水流入路と原水供給路との間を開閉する、つまり浄水器に供給される原水の流路を開閉する、第１開閉部と、浄水流入路と浄水供給路との間を開閉する、つまり浄水器から出た浄水の流路を開閉する、第２開閉部とを備えている。そこで、操作部を吐出側へ操作すると、バルブにおける第１開閉部と第２開閉部とが開放し、原水流入路、第１開閉部および原水供給路を通って浄水器に送られた原水は、その浄水器で浄水となり、その浄水は、浄水流入路に送られ、さらに第２開閉部、浄水供給路および吐出部を通って吐出される。反対に、操作部を止水側に操作すると、バルブにおける第１開閉部と第２開閉部とが閉じ、浄水は、止水される。こうして、止水に当たって、第１開閉部が閉じることで、浄水器が水圧から保護され、第２開閉部が閉じることで、浄水器の内部および浄水器から水栓（詳しくは、第２開閉部）に至る残留浄水が密閉状態となる。そして、このように、浄水器の内部および浄水器から水栓に至る残留浄水を密閉状態にすることで、簡単に残留浄水による流路の汚染を低減することができる。
【０００９】
また、請求項２に記載の発明に係る浄水用の水栓は、請求項１に記載の水栓において、前記原水流入路と前記原水供給路と前記浄水流入路と前記浄水供給路とを有する水栓本体を備える。そして、前記バルブは、固定された弁座部材と、その弁座部材の座面上を前記操作部の操作によって移動する弁体とを備えて、それら弁座部材と弁体とで、前記第１開閉部および前記第２開閉部が形成される。ここで、前記弁座部材は、少なくとも、前記浄水流入路に通ずるとともに前記座面に開口する浄水流入孔と、前記浄水供給路に通ずるとともに前記座面に開口する浄水供給孔とを有する。一方、前記弁体は、移動によって前記浄水流入孔と前記浄水供給孔との間を連通するように、前記座面に対向する対向面に開口する浄水連通部を有する。そこで、それら浄水流入孔と浄水供給孔と浄水連通部と、前記座面および対向面とで、前記第２開閉部が構成される。これにより、第２開閉部を開放した際には、浄水は、浄水流入路から、弁座部材の浄水流入孔、弁体の浄水連通部、および弁座部材の浄水供給孔を通って、浄水供給路に送られる。ここで、第２開閉部における浄水の出口側にある浄水供給孔は、固定された弁座部材に設けられている。これによって、第２開閉部と浄水供給路との間の流路を短くすることができる。すなわち、仮に、第２開閉部における浄水の出口側を、移動する弁体に設けると、浄水は、弁体からバルブの周囲を通って浄水供給路に送られることとなり、その流路が長くなる。そこで、第２開閉部における浄水の出口側を固定された弁座部材に設けて、第２開閉部から浄水供給路までの間の流路を短くすることで、第２開閉部の下流の、残留浄水による流路の汚染をより少なく抑えることができる。また、ここにおいて、弁座部材と弁体とを、セラミックス製にすることで、その弁座部材や弁体における残留浄水と接触する部分に、雑菌が付着し難くすることができる。
【００１０】
また、請求項３に記載の発明に係る浄水用の水栓は、請求項２に記載の水栓において、前記水栓本体は、前記バルブを収容する収容凹部を有する。そこで、前記収容凹部内において、前記バルブの周囲に空隙が形成されて、その空隙に前記原水供給路が通ずる。そして、前記弁座部材は、前記原水流入路に通ずるとともに前記座面に開口する原水流入孔を有する。一方、前記弁体は、移動によって前記原水流入孔と前記空隙との間を連通するように、前記対向面に開口するとともに前記空隙に通ずる原水連通部を有する。そこで、それら原水流入孔と原水連通部と、前記座面および対向面とで、前記第１開閉部が構成される。これにより、第１開閉部を開放した際には、原水は、原水流入路から、弁座部材の原水流入孔、弁体の原水連通部、およびバルブの周囲の空隙を通って、原水供給路に送られる。
【００１１】
また、請求項４に記載の発明に係る浄水用の水栓は、請求項３に記載の水栓において、前記バルブは、前記弁座部材および弁体を収容するケースを備える。このケースは、ケース本体と、そのケース本体の一方側を閉じる閉じ部とを有する。そこで、前記閉じ部に、前記原水流入孔と前記原水流入路との間を連通する原水用第１通孔が設けられ、前記ケース本体に、前記原水連通部と前記空隙との間を連通する原水用第２通孔が設けられる。そして、前記閉じ部に、前記浄水流入孔と前記浄水流入路との間を連通する浄水用第１通孔と、前記浄水供給孔と前記浄水供給路との間を連通する浄水用第２通孔とが設けられる。
【００１２】
また、請求項５に記載の発明に係る浄水用の水栓は、請求項２に記載の水栓において、前記水栓本体は、前記バルブを収容する収容凹部を有する。そこで、前記収容凹部内において、前記バルブの周囲に空隙が形成されて、その空隙に前記原水流入路が通ずる。そして、前記弁座部材は、前記原水供給路に通ずるとともに前記座面に開口する原水供給孔を有する。一方、前記弁体は、移動によって前記原水供給孔と前記空隙との間を連通するように、前記対向面に開口するとともに前記空隙に通ずる原水連通部を有する。そこで、それら原水供給孔と原水連通部と、前記座面および対向面とで、前記第１開閉部が構成される。これにより、第１開閉部を開放した際には、原水は、原水流入路から、バルブの周囲の空隙、弁体の原水連通部、および弁座部材の原水供給孔を通って、原水供給路に送られる。
【００１３】
また、請求項６に記載の発明に係る浄水用の水栓は、請求項５に記載の水栓において、前記バルブは、前記弁座部材および弁体を収容するケースを備える。このケースは、ケース本体と、そのケース本体の一方側を閉じる閉じ部とを有する。そこで、前記ケース本体に、前記原水連通部と前記空隙との間を連通する原水用第１通孔が設けられ、前記閉じ部に、前記原水供給孔と前記原水供給路との間を連通する原水用第２通孔が設けられる。そして、前記閉じ部に、前記浄水流入孔と前記浄水流入路との間を連通する浄水用第１通孔と、前記浄水供給孔と前記浄水供給路との間を連通する浄水用第２通孔とが設けられる。
【００１４】
また、請求項７に記載の発明に係る浄水用の水栓は、請求項２に記載の水栓において、前記弁座部材は、前記原水流入路に通ずるとともに前記座面に開口する原水流入孔と、前記原水供給路に通ずるとともに前記座面に開口する原水供給孔とを有する。一方、前記弁体は、移動によって前記原水流入孔と前記原水供給孔との間を連通するように、前記対向面に開口する原水連通部を有する。そこで、それら原水流入孔と原水供給孔と原水連通部と、前記座面および対向面とで、前記第１開閉部が構成される。これにより、第１開閉部を開放した際には、原水は、原水流入路から、弁座部材の原水流入孔、弁体の原水連通部、および弁座部材の原水供給孔を通って、原水供給路に送られる。
【００１５】
また、請求項８に記載の発明に係る浄水用の水栓は、請求項７に記載の水栓において、前記バルブは、前記弁座部材および弁体を収容するケースを備える。このケースは、ケース本体と、そのケース本体の一方側を閉じる閉じ部とを有する。そこで、前記閉じ部に、前記原水流入孔と前記原水流入路との間を連通する原水用第１通孔と、前記原水供給孔と前記原水供給路との間を連通する原水用第２通孔とが設けられる。そして、前記閉じ部に、前記浄水流入孔と前記浄水流入路との間を連通する浄水用第１通孔と、前記浄水供給孔と前記浄水供給路との間を連通する浄水用第２通孔とが設けられる。
【００１６】
また、請求項９に記載の発明に係る浄水用の水栓は、請求項１ないし８のいずれか１項に記載の水栓において、前記操作部の、吐出側への操作により、前記バルブは、前記第２開閉部が開放し続いて前記第１開閉部が開放し、前記操作部の、止水側への操作により、前記バルブは、前記第１開閉部が閉じ続いて前記第２開閉部が閉じる。こうして、第１開閉部と第２開閉部との開閉のタイミングをずらすことで、第１開閉部が開放しているにも拘わらず第２開閉部が閉じている状態を無くすことができ、これによって、浄水器を水圧から確実に保護することができる。
【発明の効果】
【００１７】
この発明に係る浄水用の水栓によれば、止水に当たって、浄水側の第２開閉部を閉じて、浄水器の内部および浄水器から水栓（詳しくは、第２開閉部）に至る残留浄水を密閉状態にすることで、簡単に残留浄水による流路の汚染を低減することができる。
【図面の簡単な説明】
【００１８】
【図１】この発明の一の実施の形態の、概要を示す縦断面図である。
【図２】同じく、水栓本体の縦断面図である。
【図３】同じく、水栓本体の平面図である。
【図４】同じく、水栓本体の右側面図である。
【図５】同じく、図４におけるＡ矢視図である。
【図６】同じく、図５におけるＢ−Ｂ線による断面図である。
【図７】同じく、バルブの縦断面図である。
【図８】同じく、バルブの底面図である。
【図９】同じく、バルブの右側面図である。
【図１０】同じく、弁体の動きを示す断面図であり、（Ａ）は、止水状態、（Ｂ）は、中間状態、（Ｃ）は、吐出状態を示す。
【図１１】この発明の変形例の、弁体の動きを示す断面図であり、（Ａ）は、止水状態、（Ｂ）は、中間状態、（Ｃ）は、吐出状態を示す。
【図１２】従来の浄水用の水栓を示す模式図である。
【発明を実施するための形態】
【００１９】
以下、この発明に係る浄水用の水栓を実施するための形態を図面に基づいて説明する。
【００２０】
図１〜図１０は、本発明の一実施の形態を示す。図中符号１は、浄水器を示す。２は、水栓取付部を示す。３は、前記水栓取付部２に取り付けられる浄水用の水栓を示す。
【００２１】
ここで、水栓取付部２は、例えば、水洗台としての流し台の天板部などにあって、そのシンク周縁部からなる。もっとも、この水栓取付部２は、例えば、水洗台としての洗面台（洗面化粧台を含む）あるいは手洗台の天板部などにあって、そのボール周縁部からなってもよい。そして、水栓３は、その水栓取付部２の表側である上面側に取り付けられる。また、水栓取付部２の下方には、例えば、キャビネット（図示せず）が設けられており、浄水器１は、そのキャビネット内に配備される。
【００２２】
水栓３は、浄水の吐出部４と、その浄水の吐出と止水とを切り替えるバルブ５と、そのバルブ５を操作する操作部６とを備える。また、水栓３は、原水が流入する原水流入路７ａと、その流入した原水を浄水器１に送る原水供給路７ｂと、浄水器１から出た浄水が流入する浄水流入路７ｃと、その流入した浄水を吐出部４へ送る浄水供給路７ｄとを備える。
【００２３】
そして、前記バルブ５は、原水流入路７ａと原水供給路７ｂとの間を開閉する第１開閉部５ａと、浄水流入路７ｃと浄水供給路７ｄとの間を開閉する第２開閉部５ｂとを備える。そこで、前記操作部６の、吐出側への操作により、バルブ５は、第１開閉部５ａと第２開閉部５ｂが開放する。そして、操作部６の、止水側への操作により、バルブ５は、第１開閉部５ａと第２開閉部５ｂとが閉じる。図示実施の形態においては、操作部６の、吐出側への操作により、バルブ５は、第２開閉部５ｂが開放し続いて第１開閉部５ａが開放する。そして、操作部６の、止水側への操作により、バルブ５は、第１開閉部５ａが閉じ続いて第２開閉部５ｂが閉じるようになっている。
【００２４】
詳細には、水栓３は、水栓本体７を備え、その水栓本体７が、前述した原水流入路７ａと原水供給路７ｂと浄水流入路７ｃと浄水供給路７ｄとを有している。
【００２５】
また、バルブ５は、固定された弁座部材５ｃと、その弁座部材５ｃの座面５ｄ上を操作部６の操作によって移動する（図示実施の形態においては、摺る方向に移動する）弁体５ｅとを備えており、それら弁座部材５ｃと弁体５ｅとで、前記第１開閉部５ａおよび第２開閉部５ｂが形成される。
【００２６】
ここにおいて、弁座部材５ｃは、少なくとも、水栓本体７の浄水流入路７ｃに通ずるとともに座面５ｄに開口する浄水流入孔５ｆと、水栓本体７の浄水供給路７ｄに通ずるとともに座面５ｄに開口する浄水供給孔５ｇとを有している。一方、弁体５ｅは、弁座部材５ｃの座面５ｄに対向する対向面５ｈを有している。そして、弁体５ｅは、移動によって（つまり、操作部６の操作による移動によって）浄水流入孔５ｆと浄水供給孔５ｇとの間を連通するように、対向面５ｈに開口する浄水連通部５ｉ（詳しくは、凹状の浄水連通部５ｉ）を有している。そこで、それら浄水流入孔５ｆと浄水供給孔５ｇと浄水連通部５ｉと、座面５ｄおよび対向面５ｈとで、前記第２開閉部５ｂが構成される。
【００２７】
より詳細には、水栓本体７は、バルブ５を収容する収容凹部７ｅを有する。そして、この収容凹部７ｅ内において、バルブ５の周囲に空隙７ｆが形成される。そこで、その空隙７ｆに前記原水供給路７ｂが通ずる。
【００２８】
また、バルブ５の弁座部材５ｃは、水栓本体７の原水流入路７ａに通ずるとともに座面５ｄに開口する原水流入孔５ｊを有している。一方、弁体５ｅは、移動によって（つまり、操作部６の操作による移動によって）原水流入孔５ｊと前記空隙７ｆとの間を連通するように、対向面５ｈに開口するとともに前記空隙７ｆに通ずる原水連通部５ｋを有している。そこで、それら原水流入孔５ｊと原水連通部５ｋと、座面５ｄおよび対向面５ｈとで、前記第１開閉部５ａが構成される。
【００２９】
具体的には、水栓本体７は、略柱状に形成されて、前記水栓取付部２に立設するように取り付けられるものであって、下面７ｋには取付けのための取付孔７ｇがあけられている。この水栓本体７は、側面に突出部７ｈを有しており、その突出部７ｈの先端から、突出部７ｈがある側とは反対側に向かって、前記収容凹部７ｅがあけられている。また、水栓本体７の上端部分は、前記吐出部４を形成する吐出管４ａが取り付けられる吐出管取付部７ｉとなっており、この吐出管取付部７ｉには、その上端から下方に向かって、取付凹部７ｊがあけられている。
【００３０】
そこで、前記原水流入路７ａと浄水流入路７ｃは、水栓本体７の下面７ｋから収容凹部７ｅの底面７ｍに至るようにあけられ、前記原水供給路７ｂは、水栓本体７の下面７ｋから収容凹部７ｅの側面７ｎに至るようにあけられる。また、浄水供給路７ｄは、取付凹部７ｊの底面７ｐから収容凹部７ｅの底面７ｍに至るようにあけられる。そして、水栓本体７の下端部分において、原水流入路７ａに、給水管２１が接続され、原水供給路７ｂと浄水流入路７ｃとに、浄水器１から延びる接続管２２が接続される。
【００３１】
バルブ５においては、前記弁座部材５ｃと弁体５ｅとは、例えばセラミックス製であって、円盤（ディスク）状に形成されている。これら弁座部材５ｃと弁体５ｅとは、互いの盤面が重ね合わされるように配置され、その互いに向かい合う面が、前記座面５ｄおよび対向面５ｈとなる。そして、弁座部材５ｃにおける前記原水流入孔５ｊと浄水流入孔５ｆと浄水供給孔５ｇとは、弁座部材５ｃの周に沿って並ぶようにして、表裏を貫通してあけられる。また、弁体５ｅの前記原水連通部５ｋは、表裏を貫通するとともに側方に開口するようにあけられる。そして、この弁体５ｅの前記浄水連通部５ｉは、対向面５ｈにおいて、周に沿って溝状に形成される。
【００３２】
また、バルブ５は、前記弁座部材５ｃおよび弁体５ｅを収容するケース５ｍを備えている。このケース５ｍは、ケース本体５ｎと、そのケース本体５ｎの一方側、詳しくはその軸心方向の一方側（後方側）を閉じる閉じ部としての蓋部５ｐとを有する。そこで、弁体５ｅが、ケース本体５ｎの他方側、詳しくはその軸心方向の他方側（前方側）に配置され、弁座部材５ｃが、ケース本体５ｎの前記一方側（後方側）、つまり蓋部５ｐ側に配置される。この蓋部５ｐには、表裏を貫通するようにして、弁座部材５ｃの原水流入孔５ｊと水栓本体７の原水流入路７ａとの間を連通する原水用第１通孔５ｑが設けられる。そして、ケース本体５ｎ（詳しくは、ケース本体５ｎの胴部）に、内外を貫通するようにして、弁体５ｅの原水連通部５ｋと水栓本体７の空隙７ｆとの間を連通する原水用第２通孔５ｒが設けられる。
【００３３】
さらに、蓋部５ｐには、表裏を貫通するようにして、弁座部材５ｃの浄水流入孔５ｆと水栓本体７の浄水流入路７ｃとの間を連通する浄水用第１通孔５ｓと、弁座部材５ｃの浄水供給孔５ｇと水栓本体７の浄水供給路７ｄとの間を連通する浄水用第２通孔５ｔとが設けられる。
【００３４】
また、バルブ５は、ケース本体５ｎの前側の孔５ｕを貫通して前方に突出するシャフト５ｖを備え、さらに、ケース本体５ｎ内においてシャフト５ｖと弁体５ｅとを繋ぐ繋ぎ部材５ｗを備えており、これらシャフト５ｖと繋ぎ部材５ｗと弁体５ｅとが、一体となって孔５ｕの軸心回りに回動可能となっている。そして、この回動によって、前述した弁体５ｅの移動が成される。また、繋ぎ部材５ｗには、弁体５ｅの原水連通部５ｋとケース本体５ｎの原水用第２通孔５ｒとを連通する凹部５ｘが設けられており、この凹部５ｘおよび原水用第２通孔５ｒを介すことで、原水連通部５ｋと前記空隙７ｆとが連通する。
【００３５】
このバルブ５は、蓋部５ｐ側から水栓本体７の収容凹部７ｅに収容され、収容凹部７ｅの口元部分にねじ込まれた筒状の止め部材８により、抜け止めされる。そして、シャフト５ｖの先端に、前記操作部６が取り付けられる。図示実施の形態においては、この操作部６は、シャフト５ｖに固定される基部部材６ａと、その基部部材６ａに固定されるレバー６ｂとを有する。
【００３６】
また、水栓本体７の吐出管取付部７ｉにおいては、取付凹部７ｊの口元部分を塞ぐように、閉塞部材９が挿入され、その閉塞部材９を抜け止めするように、止め部材１０が、ねじ込まれて固定されている。そして、前記吐出管４ａの基端側が、止め部材１０および閉塞部材９を貫通するようにして取り付けられており、浄水は、浄水供給路７ｄから、取付凹部７ｊを通って吐出管４ａに送られる。
【００３７】
ところで、図１０は、止水から吐出に至る、弁座部材５ｃ上の弁体５ｅの動きを示す図であり、弁体５ｅを回動する軸５ｙに直交する方向に切断し、弁座部材５ｃ側を見ている。ここで、（Ａ）は、操作部６を止水側にした止水状態を示し、第１開閉部５ａと第２開閉部５ｂとの両方が閉じている。すなわち、第１開閉部５ａにおいては、原水流入孔５ｊは、原水連通部５ｋと重なっておらず、この第１開閉部５ａは、閉じた状態となっている。そして、第２開閉部５ｂにおいては、浄水流入孔５ｆは、浄水連通部５ｉと重なるものの、浄水供給孔５ｇは、浄水連通部５ｉと重なっておらず、この第２開閉部５ｂも、閉じた状態となっている。（Ｂ）は、操作部６を止水側と吐出側との中間の位置にした中間状態を示し、第１開閉部５ａが閉じ、第２開閉部５ｂが開放している。すなわち、第１開閉部５ａにおいては、原水流入孔５ｊは、原水連通部５ｋと重なっておらず、この第１開閉部５ａは、閉じた状態となっている。そして、第２開閉部５ｂにおいては、浄水流入孔５ｆと浄水供給孔５ｇとの両方が、浄水連通部５ｉと重なり、この第２開閉部５ｂは、開放した状態となっている。（Ｃ）は、操作部６を吐出側にした吐出状態を示し、第１開閉部５ａと第２開閉部５ｂとの両方が開放している。すなわち、第１開閉部５ａにおいては、原水流入孔５ｊは、原水連通部５ｋと重なり、この第１開閉部５ａは、開放した状態となっている。そして、第２開閉部５ｂにおいては、浄水流入孔５ｆと浄水供給孔５ｇとの両方が、浄水連通部５ｉと重なり、この第２開閉部５ｂも、開放した状態となっている。
【００３８】
このように、操作部６の、止水側と吐出側との中間の位置において、第１開閉部５ａが閉じ第２開閉部５ｂが開放した状態をつくることで、操作部６を、止水側から吐出側へ操作した際には、バルブ５は、第２開閉部５ｂが開放し、続いて（つまり、その後に遅れて）第１開閉部５ａが開放する。反対に、操作部６を、吐出側から止水側へ操作した際には、バルブ５は、第１開閉部５ａが閉じ、続いて（つまり、その後に遅れて）第２開閉部５ｂが閉じることとなる。
【００３９】
次に、以上の構成からなる浄水用の水栓３の作用効果について説明する。この水栓３によると、バルブ５は、原水流入路７ａと原水供給路７ｂとの間を開閉する、つまり浄水器１に供給される原水の流路を開閉する、第１開閉部５ａを備えている。さらに、バルブ５は、浄水流入路７ｃと浄水供給路７ｄとの間を開閉する、つまり浄水器１から出た浄水の流路を開閉する、第２開閉部５ｂを備えている。
【００４０】
そこで、操作部６を吐出側へ操作すると、バルブ５における第１開閉部５ａと第２開閉部５ｂとが開放し、原水流入路７ａ、第１開閉部５ａおよび原水供給路７ｂを通って浄水器１に送られた原水は、その浄水器１で浄水となり、その浄水は、浄水流入路７ｃに送られ、さらに第２開閉部５ｂ、浄水供給路７ｄおよび吐出管４ａ（吐出部４）を通って吐出される。
【００４１】
詳細には、第１開閉部５ａを開放した際には、原水は、原水流入路７ａから、弁座部材５ｃの原水流入孔５ｊ（より詳細には、蓋部５ｐの原水用第１通孔５ｑおよび原水流入孔５ｊ）、弁体５ｅの原水連通部５ｋ（より詳細には、原水連通部５ｋおよびケース本体５ｎの原水用第２通孔５ｒ（図示実施の形態においては、原水連通部５ｋ、繋ぎ部材５ｗの凹部５ｘ、および原水用第２通孔５ｒ））、ならびにバルブ５の周囲の空隙７ｆを通って、原水供給路７ｂに送られる。そして、第２開閉部５ｂを開放した際には、浄水は、浄水流入路７ｃから、弁座部材５ｃの浄水流入孔５ｆ（より詳細には、蓋部５ｐの浄水用第１通孔５ｓおよび浄水流入孔５ｆ）、弁体５ｅの浄水連通部５ｉ、および弁座部材５ｃの浄水供給孔５ｇ（より詳細には、浄水供給孔５ｇおよび蓋部５ｐの浄水用第２通孔５ｔ）を通って、浄水供給路７ｄに送られる。なお、図示実施の形態においては、浄水供給路７ｄと吐出管４ａとの間には、取付凹部７ｊが介在する。
【００４２】
反対に、操作部６を止水側に操作すると、バルブ５における第１開閉部５ａと第２開閉部５ｂとが閉じ、浄水は、止水される。こうして、止水に当たって、第１開閉部５ａが閉じることで、浄水器１が水圧から保護され、第２開閉部５ｂが閉じることで、浄水器１の内部および浄水器１から水栓３（詳しくは、第２開閉部５ｂ）に至る残留浄水が密閉状態となる。そして、このように、止水に当たって、浄水側の第２開閉部５ｂを閉じて、浄水器１の内部および浄水器１から水栓３（詳しくは、第２開閉部５ｂ）に至る残留浄水を密閉状態にすることで、簡単に残留浄水による流路の汚染を低減することができる。
【００４３】
また、操作部６の、止水側と吐出側との中間の位置において、第１開閉部５ａが閉じ第２開閉部５ｂが開放した状態があり（図１０（Ｂ）参照）、こうして、第１開閉部５ａと第２開閉部５ｂとの開閉のタイミングをずらすことで、第１開閉部５ａが開放しているにも拘わらず第２開閉部５ｂが閉じている状態を無くすことができ、これによって、浄水器１を水圧から確実に保護することができる。
【００４４】
また、第２開閉部５ｂにおける浄水の出口側にある浄水供給孔５ｇは、固定された弁座部材５ｃに設けられている。これによって、第２開閉部５ｂと浄水供給路７ｄとの間の流路を短くすることができる。すなわち、仮に、第２開閉部５ｂにおける浄水の出口側を、移動する弁体５ｅに設けると（つまり、第１開閉部５ａの原水の出口側を、弁体５ｅに設けたように、浄水の出口側を弁体５ｅに設けると）、浄水は、弁体５ｅからバルブ５の周囲を通って浄水供給路に送られることとなり、その流路が長くなる。そこで、第２開閉部５ｂにおける浄水の出口側を固定された弁座部材５ｃに設けて、第２開閉部５ｂから浄水供給路７ｂまでの間の流路を短くすることで、第２開閉部５ｂの下流の、残留浄水による流路の汚染をより少なく抑えることができる。また、ここにおいて、弁座部材５ｃと弁体５ｅとを、セラミックス製にすることで、その弁座部材５ｃや弁体５ｅにおける残留浄水と接触する部分に、雑菌が付着し難くすることができる。
【００４５】
なお、本発明は、上述した実施の形態に限定されるわけではなく、その他種々の変更が可能である。例えば、水栓取付部２は、シンク周縁部またはボール周縁部からならなくとも、流し台、洗面台、手洗台等の水洗台の奥側に立設する立壁部からなっていてもよく、また、浴室のカウンターや立壁部からなっていてもよい。また、水栓３は、水栓取付部２の、表側に取り付けられなくとも、水栓本体７が、裏側に取り付けられて、操作部６および吐出管４ａ（吐出部４）が、水栓取付部２の表側に位置するように配備されてもよい。
【００４６】
また、この水栓３は、浄水を吐出させることができる水栓であれば、浄水専用の水栓でなくとも、単水栓とか湯水混合水栓と一体化した、複合水栓であってもよい。
【００４７】
また、第１開閉部５ａにおいて、弁座部材５ｃは、原水流入孔５ｊを有し、弁体５ｅは、移動によって原水流入孔５ｊとバルブ５の周囲の空隙７ｆとの間を連通する原水連通部５ｋを有して、原水は、原水流入孔５ｊから原水流通部５ｋを通って空隙７ｆに送られるが、原水の流れを、これとは反対にしても構わない。すなわち、バルブ５の周囲の空隙７ｆには、原水供給路７ｂではなく原水流入路７ａが通ずるようにし、原水供給路７ｂを収容凹部７ｅの底面７ｍに至るようにあけた上で、弁座部材５ｃが、水栓本体７の原水供給路７ｂに通ずるとともに座面５ｄに開口する原水供給孔を有し、弁体５ｅが、移動によって原水供給孔と前記空隙７ｆとの間を連通するように、対向面５ｈに開口するとともに前記空隙７ｆに通ずる原水連通部を有して、それら原水供給孔と原水連通部と、座面５ｄおよび対向面５ｈとで、第１開閉部５ａが構成されてもよい。そして、この場合には、ケース本体５ｎ（詳しくは、ケース本体５ｎの胴部）に、前記原水連通部と前記空隙７ｆとの間を連通する原水用第１通孔が設けられ、蓋部５ｐに、前記原水供給孔と前記原水供給路７ｂとの間を連通する原水用第２通孔が設けられる。これにより、第１開閉部５ａを開放した際には、原水は、原水流入路７ａから、バルブ５の周囲の空隙７ｆ、弁体５ｅの原水連通部（詳細には、ケース本体５ｎの原水用第１通孔および原水連通部（より詳細には、原水用第１通孔、繋ぎ部材５ｗの凹部、および原水連通部））、ならびに弁座部材５ｃの原水供給孔（詳細には、原水供給孔および蓋部５ｐの原水用第２通孔）を通って、原水供給路７ｂに送られる。
【００４８】
また、第１開閉部５ａに関し、弁座部材５ｃが、水栓本体７の原水流入路７ａに通ずるとともに座面５ｄに開口する原水流入孔５ｊと、水栓本体７の原水供給路７ｂに通ずるとともに座面５ｄに開口する原水供給孔５ｚとを有し、弁体５ｅが、移動によって原水流入孔５ｊと原水供給孔５ｚとの間を連通するように、対向面５ｈに開口する原水連通部５ｋ（詳しくは、凹状の原水連通部５ｋ）を有して、それら原水流入孔５ｊと原水供給孔５ｚと原水連通部５ｋと、座面５ｄおよび対向面５ｈとで、第１開閉部５ａが構成されてもよい（図１１参照）。そして、この場合には、蓋部５ｐに、原水流入孔５ｊと原水流入路７ａとの間を連通する原水用第１通孔と、原水供給孔５ｚと原水供給路７ｂとの間を連通する原水用第２通孔とが設けられる。また、この場合には、原水供給路７ｂは、バルブ５の周囲の空隙７ｆとは関係がなく、この空隙７ｆの有無は問わない。これにより、第１開閉部５ａを開放した際には、原水は、原水流入路７ａから、弁座部材５ｃの原水流入孔５ｊ（詳細には、蓋部５ｐの原水用第１通孔および原水流入孔５ｊ）、弁体５ｅの原水連通部５ｋ、ならびに弁座部材５ｃの原水供給孔５ｚ（詳細には、原水供給孔５ｚおよび蓋部５ｐの原水用第２通孔）を通って、原水供給路７ｂに送られる。
【００４９】
この構成による、止水から吐出に至る、弁座部材５ｃ上の弁体５ｅの動きを図１１に示す。図１１は、前述の図１０と同様であって、弁体５ｅを回動する軸５ｙに直交する方向に切断し、弁座部材５ｃ側を見ている。この図において、第１開閉部５ａに関し、弁座部材５ｃに設けられる原水流入孔５ｊは、中央に位置して、表裏を貫通してあけられ、同じく弁座部材５ｃに設けられる原水供給孔５ｚは、側方に位置して、表裏を貫通してあけられる。そして、弁体５ｅに設けられる原水連通部５ｋは、対向面５ｈにおいて、弁体５ｅの中央から側方に向かって溝状に形成される。ここで、（Ａ）は、操作部６を止水側にした止水状態を示し、第１開閉部５ａと第２開閉部５ｂとの両方が閉じている。すなわち、第１開閉部５ａにおいては、原水流入孔５ｊは、原水連通部５ｋと重なるものの、原水供給孔５ｚは、原水連通部５ｋと重なっておらず、第１開閉部５ａは、閉じた状態となっている。そして、第２開閉部５ｂにおいては、浄水流入孔５ｆは、浄水連通部５ｉと重なるものの、浄水供給孔５ｇは、浄水連通部５ｉと重なっておらず、第２開閉部５ｂも、閉じた状態となっている。（Ｂ）は、操作部６を止水側と吐出側との中間の位置にした中間状態を示し、第１開閉部５ａが閉じ、第２開閉部５ｂが開放している。すなわち、第１開閉部５ａにおいては、原水供給孔５ｚは、原水連通部５ｋと重なっておらず、第１開閉部５ａは、閉じた状態となっている。そして、第２開閉部５ｂにおいては、浄水流入孔５ｆと浄水供給孔５ｇとの両方が、浄水連通部５ｉと重なり、第２開閉部５ｂは、開放した状態となっている。（Ｃ）は、操作部６を吐出側にした吐出状態を示し、第１開閉部５ａと第２開閉部５ｂとの両方が開放している。すなわち、第１開閉部５ａにおいては、原水流入孔５ｊと原水供給孔５ｚとの両方が、原水連通部５ｋと重なり、第１開閉部５ａは、開放した状態となっている。そして、第２開閉部５ｂにおいては、浄水流入孔５ｆと浄水供給孔５ｇとの両方が、浄水連通部５ｉと重なり、第２開閉部５ｂも、開放した状態となっている。
【００５０】
また、弁体５ｅは、弁座部材５ｃに対し、回動移動するものでなくとも、並進移動するものであってもよい。また、弁体５ｅは、弁座部材５ｃに対し、摺る方向に移動するものでなくとも、近接離間する方向に移動するものであってもよい。もっとも、この場合には、第１開閉部５ａと第２開閉部５ｂとの間に仕切壁を設けたり、第１開閉部５ａと第２開閉部５ｂとの開閉のタイミングをずらすために、例えば、弁体５ｅを、第１開閉部５ａ側と第２開閉部５ｂ側とに分離し、それらを弾性的に連結するなどする必要がある。
【００５１】
また、操作部６の操作に対して、バルブ５は、第１開閉部５ａと第２開閉部５ｂとの開閉のタイミングがずれるように構成されているが、このタイミングを一致させるようにしてもよい。
【００５２】
また、バルブ５は、ケース５ｍ（つまりケース本体５ｎと蓋部５ｐ）とを備えているが、このケース５ｍはなくともよい。すなわち、弁座部材５ｃや弁体５ｅ等が、直接水栓本体７に組み付けられるようにしてもよい。
【符号の説明】
【００５３】
１  浄水器
３  水栓
４  吐出部
５  バルブ
５ａ  第１開閉部
５ｂ  第２開閉部
５ｃ  弁座部材
５ｄ  座面
５ｅ  弁体
５ｆ  浄水流入孔
５ｇ  浄水供給孔
５ｈ  対向面
５ｉ  浄水連通部
５ｊ  原水流入孔
５ｋ  原水連通部
５ｍ  ケース
５ｎ  ケース本体
５ｐ  閉じ部（蓋部）
５ｑ  原水用第１通孔
５ｒ  原水用第２通孔
５ｓ  浄水用第１通孔
５ｔ  浄水用第２通孔
５ｚ  原水供給孔
６  操作部
７  水栓本体
７ａ  原水流入路
７ｂ  原水供給路
７ｃ  浄水流入路
７ｄ  浄水供給路
７ｅ  収容凹部
７ｆ  空隙
【図１】
2013174313.tif 000003
【図２】
2013174313.tif 000004
【図３】
2013174313.tif 000005
【図４】
2013174313.tif 000006
【図５】
2013174313.tif 000007
【図６】
2013174313.tif 000008
【図７】
2013174313.tif 000009
【図８】
2013174313.tif 000010
【図９】
2013174313.tif 000011
【図１０】
2013174313.tif 000012
【図１１】
2013174313.tif 000013
【図１２】
2013174313.tif 000014